(57)【特許請求の範囲】
【請求項１】
映像を表示する矩形の表示パネルを有する表示部本体と、
前記表示パネルの縁を覆う外装部材から延出する一組の固定部と、
前記表示部本体との間に前記表示パネルの表示面に沿う方向に間隔を空けて、前記一組の固定部を介して前記表示部本体に固定されたスピーカと
を備える表示装置。
【請求項２】
前記一組の固定部は、前記表示パネルの一辺の両端に該一辺と所定の角度をなして配置された２個の固定部を含む
請求項１に記載の表示装置。
【請求項３】
前記固定部は、前記外装部材と一体である
請求項１または請求項２に記載の表示装置。
【請求項４】
前記スピーカは、前記一組の固定部の間に固定されている
請求項１から請求項３のいずれか一つに記載の表示装置。
【請求項５】
前記固定部は、前記表示パネルの隣接しない二辺のそれぞれに対して一組ずつ設けられており、
前記スピーカは、前記二組の固定部のそれぞれに固定されている
請求項１から請求項４のいずれか一つに記載の表示装置。
【請求項６】
請求項１から５のいずれか一つに記載の表示装置と、
テレビジョン放送を受信する受信部と
を備え、
前記受信部にて受信したテレビジョン放送に基づいて、前記表示装置に映像を表示するようにしてあるテレビジョン受信機。
【発明の詳細な説明】
【技術分野】
【０００１】
本発明は、スピーカを備える表示装置およびテレビジョン受信機に関する。
【背景技術】
【０００２】
映像を表示する表示部本体の左右にスピーカを配置したサイドスピーカ方式の表示装置は、映像とのバランスが良い音場を形成することにより、臨場感を高めることが可能である。
【０００３】
一対の柱状のスピーカを、中央部に設けられた取付部を介して表示部本体の背面に取り付けることにより、表示部本体の左右に密着してスピーカを固定した表示装置が開示されている（特許文献１）。
【先行技術文献】
【特許文献】
【０００４】
【特許文献１】特開２００６−４１９６５号公報
【発明の概要】
【発明が解決しようとする課題】
【０００５】
特許文献１の表示装置を前側から見た場合には、表示部本体とスピーカとが一体の構造であるように見える。そのため、映像の周囲を囲むいわゆる額縁が太い表示装置であるという印象をユーザに与える。したがって、額縁を細くした狭額縁の表示装置を好むユーザの嗜好には合いにくかった。
【０００６】
本発明は、表示部本体とその横に配置されたスピーカとの間の一体感を減らし、表示部本体とスピーカとが別々の部分であることを強調したデザインの表示装置等を提供することを目的とする。
【課題を解決するための手段】
【０００７】
本発明にかかる表示装置は、映像を表示する矩形の表示パネルを有する表示部本体と、前記表示パネルの縁を覆う外装部材から延出する一組の固定部と、前記表示部本体との間に前記表示パネルの表示面に沿う方向に間隔を空けて、前記一組の固定部を介して前記表示部本体に固定されたスピーカとを備える。
【０００８】
本発明にかかる表示装置は、前記一組の固定部は、前記表示パネルの一辺の両端に該一辺と所定の角度をなして配置された２個の固定部を含む。
【０００９】
本発明にかかる表示装置は、前記固定部は、前記外装部材と一体である。
【００１０】
本発明にかかる表示装置は、前記スピーカは、前記一組の固定部の間に固定されている。
【００１１】
本発明にかかる表示装置は、前記固定部は、前記表示パネルの隣接しない二辺のそれぞれに対して一組ずつ設けられており、前記スピーカは、前記二組の固定部のそれぞれに固定されている。
【００１２】
本発明にかかるテレビジョン受信機は、上述のいずれか一つに記載の表示装置と、テレビジョン放送を受信する受信部とを備え、前記受信部にて受信したテレビジョン放送に基づいて、前記表示装置に映像を表示するようにしてある。
【発明の効果】
【００１３】
表示部本体とその横に配置されたスピーカとの間の一体感を減らし、表示部本体とスピーカとが別々の部分であることを強調したデザインの表示装置等を提供することができる。
【図面の簡単な説明】
【００１４】
【図１】表示装置の外観斜視図である。
【図２】表示装置の外観斜視図である。
【図３】表示装置を前側から見た説明図である。
【図４】表示装置の分解斜視図である。
【図５】上側面筐体の部品図である。
【図６】スピーカの斜視図である。
【図７】スピーカの上部を拡大した部分拡大斜視図である。
【図８】スピーカの取付手順を示す説明図である。
【図９】スピーカの取付手順を示す説明図である。
【図１０】スピーカの取付手順を示す説明図である。
【図１１】スピーカの取付手順を示す説明図である。
【図１２】スピーカの取付手順を示す説明図である。
【図１３】スピーカの取付手順を示す説明図である。
【図１４】スピーカの取付手順を示す説明図である。
【図１５】実施の形態２の表示装置の分解斜視図である。
【図１６】実施の形態２の右側面筐体の斜視図である。
【図１７】実施の形態３の表示装置を正面から見た説明図である。
【発明を実施するための形態】
【００１５】
［実施の形態１］
図１および図２は、表示装置の外観斜視図である。以下の説明では、各図中に矢印で示す前、後、左、右、上および下のそれぞれの向きを使用する。図１は、表示装置１０を右前方から見た斜視図である。図２は表示装置１０を右後方から見た斜視図である。図３は、表示装置１０を前側から見た説明図である。図１から図３を使用して、本実施の形態の表示装置１０について説明する。
【００１６】
表示装置１０は、表示部本体１６、脚１８およびスピーカ３１を有する。表示部本体１６は、入力基板１９、表示パネル１２、前枠１４、上側面筐体２１、下側面筐体２２、右側面筐体２３、左側面筐体２４（図４参照）および背面筐体２８を有する。表示部本体１６は、全体として矩形板形状である。
【００１７】
表示部本体１６の内部に設けられた入力基板１９は、外部からの映像信号の入力を受け付けて、所定の信号処理を行なって生成した駆動信号を出力する基板である。表示パネル１２は、入力基板１９から入力された駆動信号に基づいて映像を表示する。本実施の形態は、表示パネル１２に上下方向の寸法よりも左右方向の寸法の方が長い矩形の液晶表示パネルを使用する場合を例にして説明する。
【００１８】
前枠１４は、表示パネル１２の縁を前側から覆う矩形の枠である。上側面筐体２１は、表示パネル１２の上側の側面を覆う樹脂製の筐体部品である。下側面筐体２２は、表示パネル１２の下側の側面を覆う樹脂製の筐体部品である。右側面筐体２３は、表示パネル１２の右側の側面を覆う樹脂製の筐体部品である。左側面筐体２４は、表示パネル１２の左側の側面を覆う樹脂製の筐体部品である。
【００１９】
上側面筐体２１および下側面筐体２２の左右方向の寸法は、表示パネル１２の左右方向の寸法よりも長い。上側面筐体２１、下側面筐体２２、右側面筐体２３および左側面筐体２４は、組み合わされることにより上側面筐体２１および下側面筐体２２の両端部が左右方向に延出した矩形枠の形状になる。上側面筐体２１の形状の詳細については後述する。背面筐体２８は、表示部本体１６の背面を覆う樹脂製の外装部材である。
【００２０】
スピーカ３１は、四角柱形状であり、表示部本体１６の左右に配置されている。スピーカ３１の上面および下面は、上側面筐体２１および下側面筐体２２の両端部に覆われている。スピーカ３１の高さは、表示パネル１２の短辺の長さと略同一である。スピーカ３１は、側面の稜線の１本を前方に向けている。スピーカ３１の前方に向けられた稜線は、表示部本体１６の映像を表示する面と略同一面上にある。
【００２１】
スピーカ３１は上側で上側面筐体２１および上側取付具４５を、下側で下側面筐体２２および下側取付具４６をそれぞれ介して表示部本体１６に固定されている。スピーカ３１と表示部本体１６とを固定する構造の詳細は後述する。
【００２２】
脚１８は、表示装置１０を床面または机の天面等の平面の上に立てて支持する部材である。
【００２３】
図３に示すように、表示装置１０を前方から見た場合には、表示部本体１６とスピーカ３１とは、上側面筐体２１、下側面筐体２２、上側取付部４５および下側取付具４６により繋がっている。しかし、それ以外の部分では表示部本体１６とスピーカ３１との間には、隙間があいており、その隙間を通して表示装置１０の後ろの壁等が見える状態になっている。隙間はたとえば約６ミリメートル幅である。図３では説明のために隙間を強調して幅を広く記載している。
【００２４】
図４は、表示装置１０の分解斜視図である。図２は、表示装置１０の右後方から見た図である。図４を使用して、表示装置１０の主要部の概要を説明する。
【００２５】
表示装置１０は、前述した、入力基板１９、表示パネル１２、前枠１４、上側面筐体２１、下側面筐体２２、右側面筐体２３、左側面筐体２４、背面筐体２８、上側取付具４５、下側取付具４６、脚１８、およびスピーカ３１と共に、収容体２９および蓋２７を有する。上側取付具４５は、上側カバー３５および上側金具３７を含む。下側取付具４６は、下側カバー３６および下側金具３８を含む。なお、図４では表示パネル１２、脚１８および入力基板１９は省略した。表示パネル１２は、前枠１４の後ろ側に配置されている。脚１８は、収容体２９の下側に配置されている。入力基板１９は、収容体２９の背面に固定されている。
【００２６】
収容体２９は、開口部を前側に向けた金属製の箱体である。収容体２９には、表示パネル１２を後ろ側から照明するバックライトが収容されている。収容体２９には、脚１８、上側金具３７、下側金具３８等の部品を固定する際に使用する孔およびネジ孔が設けられている
【００２７】
蓋２７は、樹脂製の矩形板状の外装部材である。蓋２７が固定される場所については後述する。
【００２８】
上側金具３７は、収容体２９の上部とスピーカ３１の上部との間を固定する金属製の部材である。上側金具３７は、収容体２９の左右の上部に１個ずつの合計２個固定される。上側カバー３５は、上側金具３７を背面から覆う樹脂製の外装部材である。上側金具３７および上側カバー３５を固定する部分の構造については後述する。
【００２９】
下側金具３８は、収容体２９の下部とスピーカ３１の下部との間を固定する金属製の部材である。下側金具３８は、収容体２９の左右の下部に１個ずつの合計２個固定される。下側カバー３６は、下側金具３８を背面から覆う樹脂製の外装部材である。下側金具３８および下側カバー３６を固定する部分の構造については後述する。
【００３０】
図５は、上側面筐体２１の部品図である。図５Ａは、上側面筐体２１の正面図である。図５Ｂは、上側面筐体２１の側面図である。図５を使用して、上側面筐体２１の形状を説明する。
【００３１】
上側面筐体２１は、筐体部４１および筐体部４１の両端から延出する２個の固定部４２を有する。筐体部４１は、略Ｌ字型断面の長板である。筐体部４１は、表示パネル１２の側面を覆う部分である。固定部４２は、矩形である。固定部４２の辺は、筐体部４１の長手方向に対して約４５度傾いている。固定部４２は、縁を除いて一段窪んでおり、窪んでいる部分に４個のスピーカ固定孔４３を有する。下側面筐体２２は、上側面筐体２１とほぼ同様の形状であるため、部品図の図示および説明を省略する。
【００３２】
図６は、スピーカ３１の斜視図である。図７は、スピーカ３１の上部を拡大した部分拡大斜視図である。図６および図７を使用して、スピーカ３１の構造を説明する。
【００３３】
前述の通り、スピーカ３１は四角柱形状である。スピーカ３１は、３つの側面の中央部に発音部３２を有する。発音部３２は、音を外部に放射する部分である。スピーカ３１の発音部３２を備える側面は、網状のサランネットにより覆われている。サランネットは図示を省略する。スピーカ３１は、上面および下面にそれぞれ４個の固定ネジ穴３３を有する。
【００３４】
図８から図１４は、スピーカ３１の取付手順を示す説明図である。図８から図１４を使用して、表示部本体１６の左右にスピーカ３１を取り付ける手順を説明する。
【００３５】
図８は、スピーカ３１を取り付ける前の表示装置１０の右側を右後方から見た部分拡大斜視図である。図８に示す段階では、表示装置１０には背面筐体２８が取り付けられていない。上側面筐体２１および下側面筐体２２の端部から延出する２個の固定部４２同士が対向している。２個の固定部４２は、収容体２９および収容体２９の前側に配置された表示パネル１２の右辺に対して垂直である。
【００３６】
図９は、上下の固定部４２の間にスピーカ３１を固定した表示装置１０の右側を右後方から見た部分拡大斜視図である。図１０は、図９の上部および下部をさらに拡大した部分拡大斜視図である。なお、図１１から図１４までは、図１０と同じ部分を同じ方向から見た図である。
【００３７】
スピーカ３１は、上下の固定部４２の間に差し込まれる。スピーカ３１の上面および下面に４個ずつ設けられた固定ネジ穴３３と、上下の固定部４２に設けられた４個のスピーカ固定孔４３との位置あわせが行われる。スピーカ固定孔４３から上下合計８本のネジが挿入されて、スピーカ３１と固定部４２とが固定される。
【００３８】
スピーカ３１は、発音部３２を有さない左後側面の下部に、入力コネクタ３４を有する。入力コネクタ３４は、スピーカ３１に信号および電源を入力するコネクタである。スピーカ３１は、左後側面の上端部および下端部にそれぞれ２個のネジ穴を有する。ネジ穴の用途については後述する。
【００３９】
収容体２９は、図１０の左下方に示すように、出力コネクタ２６を有する。出力コネクタ２６は、スピーカ３１用の信号および電源を出力するコネクタである。
【００４０】
図１１は、蓋２７、上側金具３７および下側金具３８の取り付け方法を説明する部分拡大斜視図である。蓋２７は、両面テープ等により上側の固定部４２の窪みの上に固定されて、固定部４２とスピーカ３１とを上側から固定するネジの頭を覆う。蓋２７の上面は、筐体部４１の上面と略同一面である。蓋２７は、図１に示すように表示装置１０の外装部材である。
【００４１】
上側金具３７は、略Ｌ字型の金属部材である。上側金具３７の上側および下側の縁は、後方に突出している。上側金具３７は、所定の形状に切断した金属板を折り曲げて製作した部品である。上側金具３７は、屈曲している部分の左側で収容体２９の上部に、屈曲している部分の右側でスピーカ３１の左後側面の上部にそれぞれ接触している。上側金具３７は、スピーカ３１と接触する部分にスピーカ３１の上部に設けられたネジ穴に対応する２個の第１上側金具孔３７１および１個の第１上側金具ネジ孔３７３を有する。上側金具３７は、収容体２９と接触する部分に収容体２９の右上端部に設けられたネジ孔に対応する２個の第２上側金具孔３７２および１個の第２上側金具ネジ孔３７４を有する。第２上側金具孔３７２は、左右方向に長い長孔である。
【００４２】
下側金具３８は、略Ｌ字型の金属部材である。下側金具３８の上側および下側の縁は、後方に突出している。下側金具３８は、所定の形状に切断した金属板を折り曲げて製作した部品である。下側金具３８は、屈曲している部分の左側で収容体２９の下部に、屈曲している部分の右側でスピーカ３１の左後側面の下部にそれぞれ接触している。下側金具３８は、スピーカ３１と接触する部分にスピーカ３１の下部に設けられたネジ穴に対応する２個の第１下側金具孔３８１および１個の下側金具ネジ孔３８３を有する。下側金具３８は、収容体２９と接触する部分に収容体２９の右下端部に設けられたネジ孔に対応する２個の第２上側金具孔３７２を有する。第２上側金具孔３７２は、左右方向に長い長孔である。
【００４３】
上側金具３７および下側金具３８を収容体２９およびスピーカ３１に取り付ける方法について説明する。上側金具３７を図１１に示すように所定の場所にあて、第１上側金具孔３７１および第２上側金具孔３７２からネジを挿入する。下側金具３８を図１１に示すように所定の場所にあて、第１下側金具孔３８１および第２下側金具孔３８２からネジを挿入する。
【００４４】
第１下側金具孔３８１および第２下側金具孔３８２から挿入したすべてのネジをゆるく仮締めした状態で、スピーカ３１および収容体２９に対して上側金具３７および下側金具３８が所定の位置になるように調整する。第１上側金具孔３７１に挿入したネジおよび第１下側金具孔３８１に挿入したネジを締め込み、上側金具３７および下側金具３８とスピーカ３１とを固定する。再度スピーカ３１および収容体２９に対して上側金具３７および下側金具３８が所定の位置になるように調整する。第２上側金具孔３７２に挿入したネジおよび第２下側金具孔３８２に挿入したネジを締め込み、上側金具３７および下側金具３８と収容体２９とを固定する。第２上側金具孔３７２および第２下側金具孔３８２は長孔であるため、収容体２９等の製造誤差に起因する歪みの影響を吸収して、スピーカ３１と収容体２９とを固定することができる。
【００４５】
図１２は、上下各４本ずつのネジを締め、上側金具３７および下側金具３８をスピーカ３１および収容体２９に固定した状態を示す。図１２に示すように、上側金具３７および下側金具３８によりスピーカ３１と表示部本体１６との固定が補強されているため、たとえばユーザがスピーカ３１を掴んで表示装置１０を移動させようとした場合等に、上側面筐体２１および下側面筐体２２が破損することを防止できる。
【００４６】
図１３は、出力コネクタ２６および入力コネクタ３４に、接続部材３９を固定した状態を示す。接続部材３９は、ケーブルの両端にコネクタが接続された部材である。ケーブルは、下側金具３８の後ろ側に引き回される。
【００４７】
図１４は、上側カバー３５および下側カバー３６が取り付けられた状態を示す。上側カバー３５は、略Ｌ字型の樹脂製の外装部材であり、上側金具３７の背面を覆う。上側カバー３５は、第１上側金具ネジ孔３７３および第２上側金具ネジ孔３７４に対応する位置に孔を有する。これらの孔から挿入したネジが締め込まれることにより、上側カバー３５は上側金具３７に固定される。
【００４８】
下側カバー３６は、略Ｌ字型の樹脂製の外装部材であり、下側金具３８の背面、接続部材３９および入力コネクタ３４を覆う。下側カバー３６は、下側金具ネジ孔３８３に対応する位置に孔を有する。この孔から挿入したネジが締め込まれることにより、下側カバー３６は下側金具３８に固定される。
【００４９】
同様にして、左側のスピーカ３１も、収容体２９に取り付ける。なお、左右のスピーカ３１を同時に取り付けても良い。以上により、左右のスピーカ３１が収容体２９に固定される。
【００５０】
本実施の形態によると、表示部本体１６とその横に配置されたスピーカ３１との間の一体感を減らし、表示部本体１６とスピーカ３１とが別々の部分であることを強調したデザインの表示装置１０を提供することができる。
【００５１】
なお、上側面筐体２１および下側面筐体２２にたとえばアルミニウム合金等の強度の高い材質を使用する場合には、上側金具３７、下側金具３８、上側カバー３５および下側カバー３６を使用しなくても良い。
【００５２】
表示部本体１６の左右の縁とスピーカ３１との間の隙間は、上側が下側よりも広くても良い。また、表示部本体１６の左右の縁とスピーカ３１との間の隙間は、上側が下側よりも狭くても良い。表示部本体１６の左右で、スピーカ３１との間の隙間の幅が異なっていても良い。
【００５３】
スピーカ３１は、最も前側の部分が表示部本体１６の映像を表示する面よりもさらに前側に突出して配置されていても良い。また、スピーカ３１は、最も前側の部分が表示部本体１６の映像を表示する面よりも後方に位置するように配置されていて良い。
【００５４】
スピーカ３１は、円柱、三角柱、五角柱等の形状でも良い。スピーカ３１は発音部３２とそれ以外の部分との太さが異なっていても良い。スピーカ３１は、発音部３２とそれ以外の部分との断面の形状が異なっていても良い。
【００５５】
スピーカ３１の上面と下面とは、平行でなくても良い。このようにする場合には、固定部４２は表示パネル１２のスピーカ３１に対向する辺に対して、スピーカ３１の形状に対応した所定の角度をなす。
【００５６】
表示パネル１２には、反射型液晶表示パネル、プラズマ表示パネル、有機ＥＬ（Electro Luminescence）表示パネル等を使用しても良い。これらの表示パネル１２を使用する場合には、バックライトを使用する必要は無い。収容体２９には、表示パネル１２を制御する回路基板等が収容される。
【００５７】
入力基板１９に、テレビジョン放送のアンテナを接続するアンテナ端子およびテレビジョン放送の電波を受信するチューナ回路を備えたテレビジョン受信部を搭載する事により、表示装置１０をテレビジョン受信機に構成することができる。テレビジョン受信部が受信した放送信号に所定の処理を行い、映像信号と音声信号とに分離する。映像信号に基づき表示パネル１２に映像が表示される。音声信号は、スピーカ３１により音に変換して出力される。なお、入力基板１９に、アンテナ端子の代わりにテレビジョン放送受信用のアンテナを搭載しても良い。
【００５８】
表示装置１０をテレビジョン受信機として使用することにより、表示部本体１６とその横に配置されたスピーカ３１との間の一体感を減らし、表示部本体１６とスピーカ３１とが別々の部分であることを強調したデザインのテレビジョン受信機を提供することができる。
【００５９】
［実施の形態２］
本実施の形態は、右側面筐体２３および左側面筐体２４に固定部４２を設けた表示装置１０に関する。図１５は、実施の形態２の表示装置１０の分解斜視図である。図１５は、表示装置１０の右後方から見た図である。図１５は、図４と同様に表示パネル１２、脚１８および入力基板１９を省略し、さらに背面筐体２８、上側取付具４５および下側取付具４６も省略している。
【００６０】
図１６は、実施の形態２の右側面筐体２３の斜視図である。図１６は、右側面筐体２３を右後方から見た図である。図１５および図１６を使用して、本実施の形態の表示装置１０について説明する。なお、実施の形態１と共通する部分については説明を省略する。
【００６１】
上側面筐体２１および下側面筐体２２は、Ｌ字板形状である。右側面筐体２３は、筐体部４１および筐体部４１の両端から右側に延出する固定部４２を有する。同様に左側面筐体２４は、筐体部４１および筐体部４１の両端から左側に延出する固定部４２を有する。上側面筐体２１、下側面筐体２２、右側面筐体２３および左側面筐体２３を組み合わせると、実施の形態１と同様に上辺および下辺が左右方向に延出した矩形枠形状になる。
【００６２】
本実施の形態によると、スピーカ３１の上面および下面を同一の部品に固定するため、組立誤差の影響をうけにくい。そのため、表示部本体１６にスピーカ３１を取り付ける作業を容易に行うことができる。
【００６３】
［実施の形態３］
本実施の形態は、略Ｕ字型のスピーカ３１を有する表示装置１０に関する。図１７は、実施の形態３の表示装置１０を正面から見た説明図である。図１７は、図３と同様に表示部本体１６とスピーカ３１との間の隙間を強調して広い幅に記載している。図１７を使用して本実施の形態の表示装置１０について説明する。なお、実施の形態１と共通する部分については説明を省略する。
【００６４】
左側のスピーカ３１は、発音部３２の上下で屈曲し、右側が開いた略Ｕ字型である。右側のスピーカ３１は、発音部３２の上下で屈曲し、左側が開いた略Ｕ字型である。スピーカ３１の上端部および下端部は、実施の形態１で説明したスピーカ３１と同様である。
【００６５】
本実施の形態によると、発音部３２付近で表示部本体１６とスピーカ３１とが大きく離れているので、表示部本体１６とスピーカ３１とが別々の部分であることをさらに強調したデザインの表示装置１０を提供することができる。
【００６６】
また、本実施の形態によると、左右の発音部３２の間の距離と表示部本体１６の横方向の長さとを異なるようにすることができる。そのため、左右の発音部３２の配置を表示部本体１６の左右方向の寸法とは独立して設計することができる。
【００６７】
各実施例で記載されている技術的特徴（構成要件）はお互いに組み合わせ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【００６８】
以上のように、本発明にかかる表示装置１０は、映像を表示する矩形の表示パネル１２
を有する表示部本体１６と、前記表示パネル１２の縁を覆う外装部材から延出する一組の
固定部４２と、前記表示部本体１６との間に前記表示パネル１２の表示面に沿う方向に間
隔を空けて、前記一組の固定部４２を介して前記表示部本体１６に固定されたスピーカ３１とを備える。
【００６９】
本発明にあっては、表示部本体１６とその横に配置されたスピーカ３１との間の一体感を減らし、表示部本体１６とスピーカ３１とが別々の部分であることを強調したデザインの表示装置１０を提供することができる。
【００７０】
本発明にかかる表示装置１０は、前記一組の固定部４２は、前記表示パネル１２の一辺の両端に該一辺と所定の角度をなして配置された２個の固定部４２を含む。
【００７１】
本発明にあっては、表示パネル１２の一辺の両端に設けられた２個の固定部を使用することにより、表示パネル１２の辺に沿ってスピーカ３１を固定した表示装置１０を提供することができる。
【００７２】
本発明にかかる表示装置１０は、前記固定部４２は、前記表示パネル１２の一辺の縁を覆う外装部材２１、２２、２３または２４と一体である。
【００７３】
本発明にあっては、細い外装部材２１、２２、２３または２４を使用してスピーカ３１を固定することにより、スピーカ３１が宙に浮いているように見えるデザインの表示装置１０を提供することができる。
【００７４】
本発明にかかる表示装置１０は、前記スピーカ３１は、前記一組の固定部４２の間に固定されている。
【００７５】
本発明にあっては、ユーザが前方から見た場合に固定部４２とスピーカ３１との固定部が見えにくいことにより、スピーカ３１が宙に浮いているように見えるデザインの表示装置１０を提供することができる。
【００７６】
本発明にかかる表示装置１０は、前記固定部４２は、前記表示パネル１２の隣接しない二辺のそれぞれに対して一組ずつ設けられており、前記スピーカ３１は、前記二組の固定部４２のそれぞれに固定されている。
【００７７】
本発明にあっては、２個のスピーカ３１が形成するステレオの音場と表示パネル１２に表示される映像との組み合わせにより、臨場感を高めることができる。
【００７８】
本発明にかかるテレビジョン受信機は、上述のいずれか一つに記載の表示装置１０と、テレビジョン放送を受信する受信部とを備え、前記受信部にて受信したテレビジョン放送に基づいて、前記表示装置１０に映像を表示するようにしてある。
【００７９】
本発明にあっては、表示部本体１６とその横に配置されたスピーカ３１との間の一体感を減らし、表示部本体１６とスピーカ３１とが別々の部分であることを強調したデザインのテレビジョン受信機を提供することができる。
【符号の説明】
【００８０】
１０  表示装置
１２  表示パネル
１４  前枠
１６  表示部本体
１８  脚
１９  入力基板
２１  上側面筐体（外装部材）
２２  下側面筐体（外装部材）
２３  右側面筐体（外装部材）
２４  左側面筐体（外装部材）
２６  出力コネクタ
２７  蓋
２８  背面筐体
２９  収容体
３１  スピーカ
３２  発音部
３３  固定ネジ穴
３４  入力コネクタ
３５  上側カバー
３６  下側カバー
３７  上側金具
３７１  第１上側金具孔
３７２  第２上側金具孔
３７３  第１上側金具ネジ孔
３７４  第２上側金具ネジ孔
３８  下側金具
３８１  第１下側金具孔
３８２  第２下側金具孔
３８３  下側金具ネジ孔
３９  接続部材
４１  筐体部
４２  固定部
４３  スピーカ固定孔
４５  上側取付具
４６  下側取付具
【図１】
0006579891.tif 000002
【図２】
0006579891.tif 000003
【図３】
0006579891.tif 000004
【図４】
0006579891.tif 000005
【図５】
0006579891.tif 000006
【図６】
0006579891.tif 000007
【図７】
0006579891.tif 000008
【図８】
0006579891.tif 000009
【図９】
0006579891.tif 000010
【図１０】
0006579891.tif 000011
【図１１】
0006579891.tif 000012
【図１２】
0006579891.tif 000013
【図１３】
0006579891.tif 000014
【図１４】
0006579891.tif 000015
【図１５】
0006579891.tif 000016
【図１６】
0006579891.tif 000017
【図１７】
0006579891.tif 000018